(57)【要約】      （修正有）【課題】襟部や本体部、または足元部を小さく分離し、家庭で水洗いできるセパレート構造の布団毛布を提供する。【解決手段】本案の襟部、本体部、または足元部の両側生地はマイヤー毛布を使用し、中綿は洗えて、軽くて柔らかくふんわりしたポリエステル綿を設置する。そして、それら３層をキルト縫製で一体化し、更に、縁周りはヘム飾りか、ヘムなしの側地合せ縫い仕上げのデザインで、適宜、各接合部はワンタッチで着脱、交換、洗える対ファスナーを縫着する。また、本毛布各部は互換性のあるパーツ部品を使用し、自由に交換できるセパレート寝装品を実現する。【選択図】図１
2005160999.tif 000002
【特許請求の範囲】
【請求項１】
当該毛布本体部とその一部を分離してなる近接接合部に、着脱可能な対ファスナーを縫着して成る洗えるマイヤー布団毛布と、その製法に関わる。
【請求項２】
当該毛布本体部とその一部を分離してなる襟部に使用する生地は、片面又は両面起毛パイル製のマイヤー毛布か、もしくは非起毛パイル製の織り布から成る洗えるマイヤー布団毛布。
【請求項３】
当該毛布本体部と襟部の内側に適宜、化合繊または天然繊維わたを装着して成る洗えるマイヤー布団毛布。
【請求項４】
当該毛布に使用する表、裏生地と中わたは、キルトミシン縫製で一体化して成る洗えるマイヤー布団毛布。
【請求項５】
当該毛布襟部の中央部に、半円状の襟ぐりデザインを有して成る洗えるマイヤー布団毛布。
【請求項６】
当該毛布本体部の一部を分離してなる足元部とその近接接合部に、着脱可能な対ファスナーを縫着して成る洗えるマイヤー布団毛布と、その製法。
【請求項７】
当該毛布各部の表、裏生地の内側に適宜、羽毛もしくは羽毛を内包する生地を有して成る洗えるマイヤー布団毛布。
【請求項８】
当該毛布各部の内側に適宜、発熱および陰イオン発生装置を内臓して成る洗えるマイヤー布団毛布。
【請求項９】
請求項１〜８の本体部、襟部、足元部の四方縁周りは、側生地による縁縫い飾りか、別ヘム地による縁縫い飾りおよび対ファスナーの縫着により成る洗えるマイヤー布団毛布と、その製法。
【発明の詳細な説明】
【発明の詳細な説明】
［発明の属する技術分野］
【０００１】本発明毛布は従来の布団、毛布にはない、家庭洗濯を目的に考案されたセパレート構造の、洗えるマイヤー布団毛布である。本発明毛布に使用する側生地は、片面又は両面起毛パイル製のマイヤー毛布か、非起毛パイル製の織り布である。また、汚れやすく、洗濯頻度の高い襟部や足元部は、本体部から小さく分離、パーツ化して、容易に水洗いできるセパレート構造の布団毛布に改変する。該襟部は、本毛布地の温かい感触と温もりを直に実感でき、また、襟部中央の襟ぐりデザインは、肩先の保温性をより効率よく高める。本来、布団や毛布は家庭で簡単に洗えない、重く大きな重量物であるが、それに反し、本毛布は、足元部を含め、襟部、本体部をワンタッチで着脱でき、水洗いできる構造のファスナー付きマイヤー布団毛布の考案である。更に、それらは互換性があり、他の同仕様、同規格の対ファスナー付き部品と取り替えでき、更に、多様な品揃えにより、それぞれ自由に組み合わせでき、コーディネートできる考案である。
［従来の技術］
【０００２】従来の布団や毛布は嵩高で、大き過ぎ、重た過ぎる形状で、家庭では簡単に洗えない製品である。それに本体形状は主に一枚物の規格品である。また、既存の羽毛布団はその側生地が高密度織り布であるため、羽毛吹き出し防止加工を施しており、家庭洗濯は不可能である。しかし通常、襟部や足元部分は汚れやすい為、布団本体に布カバーを着せ、直接、本体に触れないよう使われることが多い。また、既存の布団や毛布は寝ている間に寝返りで、布団と毛布が離れたり、ガサガサ衣擦れして、睡眠を妨げる原因となる。近年、一般家庭の室内暖房化が進むが、それに相応しい布団、毛布がなく、旧態依然とした形状の寝具ばかりで、適応性のある、利便性、収納性、家庭洗濯性に乏しい。
［発明が解決しようとする課題］
【０００３】本案はこれらの課題を解決しようとする製品である。つまり、従来の布団や毛布が嵩高で、大き過ぎ、重過ぎ、側地密度が込み過ぎて、家庭では簡単に水洗いできない製品である為、本案はこの点に着目して、本体部を小さく分割し、ワンタッチで着脱できるセパレート構造に改変、更に、各部をその役割に応じた構造に改変する考案である。しかも、襟部、本体部、足元部をパーツ化し、それらパーツ部品を互換性のあるスペアー製品として確立して、種々のパーツ製品が自由に交換できる、ボーダレスな使用方法を実現する。つまり、快眠実現のため、各部使用生地の素材、内側の詰め物等を適宜、選択、交換し、最適な快眠状態を自分でセットできる仕組みである。本案各部は、従来使われなかった寸法、形状、構造、機能を案出し、これらパーツ製品を自由に組み合わせて、理想的な寝具の実現を目指す。
［課題を解決するための手段］
【０００４】本案は、従来の布団や毛布の大きさを適宜に、細分割し、それぞれの接合部にワンタッチで着脱できる対ファスナーを縫着する。そして、襟部、本体部、足元部はそれぞれ、各部の製品寸法を同じ仕様に統一し、互換性のある製品化を目指す。加えて、その対ファスナーの材質、デザイン、寸法等も同じ仕様に普遍、統一化すれば、より一層、各製品間の互換性が高まり、その使用範囲の拡大が図れる。更に、該毛布の各部接合部に縫着する対ファスナーは洗濯性、ドレープ性、生産性、互換性に富んだ物である。
［作用］
【０００５】本発明毛布は襟部と本体部、または襟部、本体部、足元部などに分割し、その接合部に対ファスナーなどの接合物を縫い着け、ワンタッチで着脱できる構造に改変するので、各部の汚れた部分のみ洗濯できる考案である。また、種々の互換性ある多機能なスペアー製品を作り置いて、随時、多様なニーズに応じて、それらパーツ品を提供する体制を構築すれば、容易にそれらをコーディネートできる効果が高まる。更に、本案各部に使う各種側生地、パイル素材、詰め綿、その他羽毛のような特殊な詰物や、発熱、イオン発生装置なども含め、全く機能の違うパーツ部品を容易に付加でき、多くの機能性が発揮でき、快適快眠を創造し、アレンジできる、ボーダレスシステムの実現に多大な効果がある。つまり、各部のデザイン、寸法を普遍、統一化して、あらゆる同仕様のパーツ部品と交換、合体、組み合わせできる寝具システムの確立が可能となる。例えば、羽毛布団のパーツ部品との合体も可能である。
［発明の実施の形態］
【０００６】本発明の一例を詳述すれば、本毛布の襟部や本体部の両側生地はアクリルを中心に、コットン、シルク、ウール等の天然繊維製の、片面起毛パイルの肌触りが柔らかいマイヤー毛布を使用する。また、該生地に綿、シルク、ウール等の天然繊維製平織り布を使用することがある。また、内側に詰める中綿は洗濯しても、軽くてふっくらしたバルキー性、空気保有性、クッション性を保有するポリエステル繊維綿、例えば、帝人（株）製羽毛タイプのウォシュロン等使用する。更に、各部の縫製仕上げ寸法は、仕上幅がそれぞれ約１５０ｃｍに統一され、また、襟部の長さは約５０ｃｍ（または４０ｃｍ）、本体部の長さは約１５０ｃｍ（または１６０ｃｍ）に定める。尚、長さ約１５０ｃｍ（または１６０ｃｍ）の本体部は、約１００ｃｍ（または１１０ｃｍ）長の本体部と、約５０ｃｍ長の足元部に小さく分割することができる。次に本案の襟部、本体部、足元部の表、裏マイヤー毛布地と内側の中綿は、既存のコンフォーターキルトミシンやゼットミシン等により、種々の直線柄や曲線柄のキルト縫製を施して、中綿の安定、ドレープ性、装飾性を付加して、縫合、一体化する。例えば、羽毛布団のキルト縫製と同じ、約５０ｃｍ四方のキルトデザインである。また、各接合部の接合物は洗濯できて、柔らかく丈夫な雌雄一対のファスナーを使用する。他に、輪奈紐、マジックテープ、ボタンホック型のジョイント式が使われる。さて、本案使用のファスナーは、樹脂製のエレメント（務歯〜組み合わせ部）、テープ（ポリエステル製、アクリル製、綿製、及び、ストレッチ製）、スライダー（開閉部１〜２個付き、頭または尻合わせ）及び上止部または下止部より構成される。ところで、本案襟部は、丈５０〜６０ｃｍ長や８０ｃｍ〜１００ｃｍ長の片面起毛マイヤー毛布地を使用する。例えば、本襟部用の生地丈１００ｃｍｘ幅１５０ｃｍ長の本毛布側生地を先ず、裏向きに折り返し重ね合せ、その左右側面部を縫合、反転する。続いて、中綿を設置して、従来毛布の仕上げ縫製と同じく、口の開いた該接合部先端をアドラーミシンでヘム縫い飾り、併せて、対ファスナーの一方を差し込んで合せ縫い、幅ｘ長さが１５０ｃｍｘ５０ｃｍ長の襟部に仕上げる。また、足元部の縁周りは、襟部と同じ、スカラーミシンによる四方ヘム縫い飾りがある。更に、本案の本体部縁周りは、基本的に柔らかくドレープ性のある縁飾り布地を縫い付けるが、場合により、該ヘムを使わず、側地同志を重合、縫合、反転して、縁周りを仕上げることがある。また、襟部中央は半円状にくり抜き、肌触りのよい側地が表に出る様、縫い合せ、ヒトの頭顔部がスッポリはまる襟ぐりデザインとする。さらに、足元部の内側の中綿は、洗濯しても羽毛のように軽く、柔らかく、空気保有性に富んだポリエステル綿を詰める。他に、本来、洗えない性質の発熱コードやマイナスイオン電床板を内側に設置しても、適宜、分離できるので、一層の防寒、イオン、健康効果を高める。
［発明の効果］
【０００７】本布団毛布は、毛布用素材を布団風に仕上げ、襟部と本体部と足元部をセパレート構造に分割し、その接合部に対ファスナーを縫着するため、各部がワンタッチで着脱でき、簡単に洗えて、容易に変換できるものである。更に、従来味わったことのない睡眠効果、つまり、起毛パイルの柔らかく心地よい肌触り感、軽さ、カラダへのフィット感、暖かさを体現できるものである。また、本布団毛布各部はそれぞれ量産化、低コスト化、差別化する製法の確立がある。つまり、表マイヤー毛布地と、羽毛のようなポリエステル中綿、裏マイヤー毛布地の３層を連続的に重ね合わせ、左右側面部をヘム地縫い、多芯キルトミシンによる合せ縫い（これら２工程は前後することあり）の後、各部をサイズ別に裁断し、その裁断部分をヘム地縫い飾りしながら、対ファスナーの片方をヘム地と一緒に縫い込む方法などである。本布団毛布は、従来にない利便性、洗濯性、収納性、ドレープ性、軽さ感、暖かさ感、互換性を有するデザイン構造を実現することができる。また、使用するヒトの体質、体調、好みに応じて、種々の異なる襟部、本体部、足元部を適宜、取り替えることができる。また、本体部が、ニューマイヤー毛布と呼ばれる両面起毛パイル製の一重のアクリルマイヤー毛布地を使用し、それにヘム飾り縫製し、各接合部に対ファスナーを併せ縫着することもできる。また、アクリル製起毛パイルのマイヤー毛布や、コットン製起毛パイルのマイヤー毛布を組み合わせることができる。また、本マイヤー布団毛布の襟部や足元部は、構造の異なる羽毛布団の本体部とつなぎ合わせて、今までにない睡眠効果を促進することが可能である
【図面の簡単な説明】
【０００８】
【図１】…本毛布のセパレート構造の概略図
【図２】…本毛布の三層構造の概略図
【符号の説明】
イ…襟元部
ロ…本体部
ハ…足元部
ニ…一対ファスナー
ホ…ヘム地
ヘ…キルトミシンによる仕切り
ト…マイヤー毛布
チ…ポリエステル綿
リ…綿織り布
【図１】
2005160999.tif 000003
【図２】
2005160999.tif 000004